(57)【要約】【課題】乳房の病変状態を再現した自己検診練習装置である乳房自己検診モジュールを提供する。【解決手段】乳房自己検診モジュールは、筐体１０、球体２０及び検査座３０を備える。筐体１０は、頂端に凹溝１１が形成される。球体２０は、筐体１０の凹溝１１内に収容され、下半分が筐体１０の凹溝１１内に位置し、上半分が筐体１０から外側へ露出され、少なくとも１つのしこり２１，２２，２３，２４が設置される。検査座３０は、筐体１０上を覆い、球体２０を収容する凹部３１を底部に有する。筐体１０上には、少なくとも１つの発光体１２と、少なくとも１台の制御スイッチ１３とが設置されている。筐体１０の内部には、互いに接続された回路及び電源が設置されている。球体２０のしこり２１，２２，２３，２４は、不規則形状、楕円形状又は乳腺線維症の形状を有する。検査座３０は、柔軟性及び弾性を備え、略女性の乳房である形状を有するベースである。【選択図】図２
0003189596.tif 000002
【実用新案登録請求の範囲】
【請求項１】
筐体、球体及び検査座を備えた乳房自己検診モジュールであって、
前記筐体は、頂端に凹溝が形成され、
前記球体は、筐体の凹溝内に収容され、下半分が筐体の凹溝内に位置し、上半分が筐体から外側へ露出され、少なくとも１つのしこりが設置され、
前記検査座は、筐体上を覆い、球体を収容する凹部を底部に有することを特徴とする乳房自己検診モジュール。
【請求項２】
筐体上には、少なくとも１つの発光体と、少なくとも１台の制御スイッチとが設置され、
筐体の内部には、互いに接続された回路及び電源が設置されていることを特徴とする請求項１に記載の乳房自己検診モジュール。
【請求項３】
球体のしこりは、不規則形状、楕円形状又は乳腺線維症の形状を有することを特徴とする請求項１に記載の乳房自己検診モジュール。
【請求項４】
検査座は、柔軟性及び弾性を備え、略女性の乳房である形状を有するベースであることを特徴とする請求項１に記載の乳房自己検診モジュール。
【考案の詳細な説明】
【技術分野】
【０００１】
本考案は、乳房自己検診モジュールに関し、特に、乳房の病変状態を再現した自己検診練習装置である乳房自己検診モジュールに関する。
【背景技術】
【０００２】
近年、乳房が病気に罹る女性が増える傾向にあり、特に、乳がんは女性の生命を脅かす怖い病気であるため、政府は、女性に対して乳房の自己検診を行って早めの発見及び治療を行うことを積極的に呼び掛けているが、大部分の女性は、仕事、家庭などに忙しい上、正確な自己検診のやりかたが分からないため、乳房自己検診を行う者は多くなかった。乳房自己検査では、乳房にしこり又は異常に盛り上がった部分の有無を自分で触診するが、大部分の女性にとってはしこりの感触がよく分からないため、しこりが病変したがん細胞組織であるか否かを正確に判断することができず、病気を発見したときにはすでに中・後期の乳がんとなっていて治療が手遅れとなることがあった。
【考案の概要】
【考案が解決しようとする課題】
【０００３】
本考案の目的は、触ったしこりが病変したがん細胞組織であるか否かを正確に判断する訓練のために、乳房の病変状態を再現した自己検診練習装置である乳房自己検診モジュールを提供することにある。
【図面の簡単な説明】
【０００４】
【図１】本考案の一実施形態に係る乳房自己検診モジュールを示す斜視図である。
【図２】本考案の一実施形態に係る乳房自己検診モジュールを示す分解斜視図である。
【図３】本考案の一実施形態に係る乳房自己検診モジュールを示す平面図である。
【図４】本考案の一実施形態に係る乳房自己検診モジュールを示す断面図である。
【図５】本考案の他の実施形態に係る乳房自己検診モジュールを示す断面図である。
【考案を実施するための形態】
【０００５】
図１及び図２を参照する。図１及び図２に示すように、本考案の一実施形態に係る乳房自己検診モジュールは、少なくとも筐体１０、球体２０及び検査座３０から構成される。図１及び図２に示すように、筐体１０は矩形状のボックスであり、その頂端には、卵形又は楕円形の凹溝１１が形成されている。凹溝１１の内部には、卵形又は楕円形の球体２０が設置され、球体２０の下半分は凹溝１１内に位置し、上半分が筐体１０から外側へ露出されている。球体２０の頂面には、複数のしこり２１，２２，２３，２４が設置されている。このしこりは、女性の乳房が病変して生じた悪性腫瘍又は眼細胞組織を再現したものである。第１のしこり２１は、材料が固めで不規則状の形状を有し、転がり難く弾力性がない。第１のしこり２１は約１．５ｃｍである。第２のしこり２２の硬さはゴムに似ており、触った感じは鼻の頭に似ており、楕円形又は米粒形を呈し、その縁部は整っているため移動可能であり、しこりのサイズは約１．２ｃｍである。第３のしこり２３及び第４のしこり２４は乳腺線維症の形状を有し、触った感じは唇形状のようで移動可能であり、２つのしこりのサイズは約０．５ｃｍ〜１．５ｃｍである。
【０００６】
検査座３０は、筐体１０上を覆い、球体２０上を収容する凹部３１を底部に有する。検査座３０は、女性の乳房に似た形状を有するとともに、弾力性を備えたゴム又はシリコンからなるため軟らかい。検査座３０の頂端には、女性胸部の健康を守る美しい天使などの可愛い顔が形成されている。
【０００７】
また、筐体１０上には、少なくとも１つの発光体１２と、少なくとも１台の制御スイッチ１３とが設置されている。筐体１０の内部には、発光体１２を発光させたり検知に用いたりする回路、電源及びセンサ（ｓｅｎｓｏｒ）が設置されている。検査する女性がしこり２１，２２，２３，２４を触ると、センサは検出結果に応じて楽しい音声又は悲しい音声を鳴らして検査結果を知らせたり、モニタ（ｍｏｎｉｔｏｒ）により「健康」又は「不健康」の検査結果を知らせたりする。上述の発光体はＬＥＤであり、図１及び図２では、家族の３名の女性をそれぞれ表す３つの発光体１２が設置されている。３つの発光体は、紅色、青色、黄色などそれぞれ異なる色を有するライトであり、各色のライトはそれぞれ異なる女性を表す。また発光体１２は、複数の女性の一人に乳房の自己検診を行う時期が来たことを知らせたり、ＷｉＦｉ（登録商標）又は携帯電話により乳房の自己検診を行う時期が来たことを知らせたりしてもよい。
【０００８】
検査を行う女性は指で乳房の自己検診モジュールの検査座３０を押して、球体２０上のしこり２１，２２，２３，２４を触った感触により、悪性腫瘍又は良性病変細胞を触ったかを判断するが、指の皮膚はしこりを感じる感度が低めであるため、自己検診を行う者は、指の感度を高めてしこりの位置及びサイズを効果的に検出するために、指に指サック４０をはめることが好ましい。
【０００９】
図４を参照する。図４に示すように、本考案の一実施形態に係る乳房自己検診モジュールの球体２０のしこり２１，２２，２３，２４は、頂端に位置し、自己検診を行う者は、検査座３０を押圧してしこりを触る練習を行い、悪性腫瘍を触った感触か否かを判断する。図５に示すように、球体２０は、筐体１０の凹溝１１内で上下逆さまにし、底部へ向けてしこり２１，２２，２３，２４を引っ繰り返すと、球体２０底部に設けられた平滑面が頂端へ向けてもよい。この状態で自己検診を行う者は、球体２０の平滑面に触れて乳房にしこりがないときの感触を学習し、本物の乳房を自己検診する場合に、乳房にしこりが生じているか、病変が生じているか否かを正確に判断して判断を誤る機会を減らし、早期発見、早期治療を行う機会を高める。
【００１０】
上述したことから分かるように、本考案の乳房自己検診モジュールは、乳房の病変を再現し、一般女性が乳房のしこりに触れて悪性腫瘍又はガン細胞病変であるか否かを判断する訓練を行う自己検診練習装置である。
【符号の説明】
【００１１】
１０  筐体
１１  凹溝
１２  発光体
１３  制御スイッチ
２０  球体
２１  しこり
２２  しこり
２３  しこり
２４  しこり
３０  検査座
３１  凹部
４０  指サック
【図１】
0003189596.tif 000003
【図２】
0003189596.tif 000004
【図３】
0003189596.tif 000005
【図４】
0003189596.tif 000006
【図５】
0003189596.tif 000007